【手続補正書】
【提出日】平成19年8月29日(2007.8.29)
【手続補正１】
【補正対象書類名】特許請求の範囲
【補正対象項目名】全文
【補正方法】変更
【補正の内容】
【特許請求の範囲】
【請求項１】
喉頭鏡であって、
下側ブレード；
該下側ブレードから離れるように旋回する上側ブレードであって、該下側ブレードが、食道閉塞具として適合された遠位端を有する、上側ブレード；および
該食道閉塞具と一緒に該食道への開口部を閉塞する、該食道閉塞具に隣接して下側ブレード上にくさび形状を有する披裂用バンパー；
を備える、喉頭鏡。
【請求項２】
請求項１に記載の喉頭鏡であって、前記下側ブレードおよび上側ブレードは、対向面を有し、該下側ブレードおよび該上側ブレードの近位端ならびに該下側ブレードおよび該上側ブレードの少なくとも一方の側面が、開いて、気道に挿管されるチューブを超えて側方に該喉頭鏡が着脱されることを可能にする、喉頭鏡。
【請求項３】
請求項１に記載の喉頭鏡であって、該喉頭鏡の遠位端の照明手段をさらに備える、喉頭鏡。
【請求項４】
ほぼ声帯の方向に挿管チューブを導くための傾斜部を提供し、かつ該食道の開口部を閉塞する披裂用バンパーをさらに備える、請求項２に記載の喉頭鏡であって、前記食道閉塞具は、該食道に入って該食道を遮断するように適合されている、喉頭鏡。
【請求項５】
請求項４に記載の喉頭鏡であって、該披裂用バンパーおよび／または該披裂用バンパーが取り付けられている前記下側ブレードは、該披裂用バンパーに近接している下側ブレードの部分よりも広い、喉頭鏡。
【請求項６】
請求項１に記載の喉頭鏡であって、１以上のブレードの近位端にハンドルおよびハンドグリップもしくはフィンガーグリップをさらに備え、ここで、
該ハンドグリップ部分は、該ハンドルに対して近づくように、または遠のくように、移動可能であって、該下側ブレードの遠位端および該上側ブレードの遠位端を互いに対して開閉する、喉頭鏡。
【請求項７】
前記下側ブレードおよび前記上側ブレードが、着脱可能である、請求項１に記載の喉頭鏡。
【請求項８】
前記下側ブレードおよび前記上側ブレードが、使い捨て用である、請求項１に記載の喉頭鏡。
【請求項９】
請求項１に記載の喉頭鏡であって、前記上側ブレードに固定された舌部ガードをさらに備え、該上側ブレードが、該舌部ガード、該上側ブレードおよび前記下側ブレードで規定される３面からなる通路を形成するように適合された、喉頭鏡。
【請求項１０】
請求項１に記載の喉頭鏡であって、挿管中に吸引するための導管を提供するために、前記下側ブレードの遠位端において１つ以上の固定された吸引ポートを下側ブレードに一体化した吸引チューブをさらに備える、喉頭鏡。
【請求項１１】
請求項１に記載の喉頭鏡であって、該喉頭鏡の遠位端の照明手段をさらに備える、喉頭鏡。
【請求項１２】
喉頭鏡であって、
下側ブレード；および
該下側ブレードから離れるように旋回する上側ブレードであって、該下側ブレードおよび該上側ブレードの近位端ならびに該下側ブレードおよび該上側ブレードの少なくとも一方の側面が、開いて、気道に挿管されるチューブを超えて側方に該喉頭鏡が着脱されることを可能にする、上側ブレード
を備える、喉頭鏡。
【請求項１３】
前記下側ブレードの遠位端に食道閉塞具をさらに備える、請求項１２に記載の咽頭鏡。
【請求項１４】
前記下側ブレード上に固定された披裂用バンパーをさらに備える、請求項１２に記載の喉頭鏡であって、該披裂用バンパーは、ほぼ声帯の方向に挿管チューブを導き、前記食道を遮断するための傾斜部を提供するためにくさび形状である、喉頭鏡。
【請求項１５】
請求項１２に記載の喉頭鏡であって、前記１つ以上のブレードの近位端にハンドルおよびハンドグリップもしくはフィンガーグリップをさらに備え、ここで、
該ハンドルおよび該ハンドグリップは、互いに近接しており、
該ハンドルと該ハンドグリップとの間の距離は、短縮されて、該下側ブレードの遠位端および該上側ブレードの遠位端の間隔を互いに対して広げる、
喉頭鏡。
【請求項１６】
請求項１２に記載の喉頭鏡であって、前記上側ブレードに固定された舌部ガードをさらに備え、該上側ブレードが、該舌部ガード、該上側ブレードおよび前記下側ブレードで規定される３面からなる通路を形成するように適合された、喉頭鏡。
【請求項１７】
請求項１２に記載の喉頭鏡であって、挿管中に、粘液、唾液、または嘔吐物を吸引するために、前記下側ブレードの遠位端において１つ以上の固定された吸引ポートを下側ブレードに一体化したチューブをさらに備える、喉頭鏡。
【請求項１８】
喉頭鏡であって、
上側ブレードと下側ブレード；および
該下側ブレードの遠位端においてくさびに一体化された１つ以上の固定された吸引ポートを下側ブレードに一体化したチューブであって、該チューブおよび吸引ポートは、吸引を行うために適合されており、該ブレードは、患者への挿管に使用されるための適合されている、チューブ
を備える、喉頭鏡。
【請求項１９】
請求項１８に記載の喉頭鏡であって、前記吸引チューブが、近位端で減圧供給源を受容するように適合されており、該吸引チューブが、１以上の開口がある遠位端を有しており、かつ、患者の気道に挿管チューブを挿入する間に吸引するように適合されている、喉頭鏡。
【請求項２０】
請求項１８に記載の喉頭鏡であって、ここで、前記上側ブレードが、下側ブレードから離れるように旋回する、喉頭鏡。
【請求項２１】
請求項２０に記載の喉頭鏡であって、前記上側ブレードおよび下側ブレードの近位端ならびに該上側ブレードおよび下側ブレードの少なくとも一方の側面が、挿管チューブが該下側ブレードおよび該上側ブレードから側方に着脱され得るように開く、喉頭鏡。
【請求項２２】
請求項２０に記載の喉頭鏡であって、患者の食道を塞ぐように適合された下側ブレードの遠位端に食道閉塞具をさらに備える、喉頭鏡。
【請求項２３】
請求項２０に記載の喉頭鏡であって、前記下側ブレードの遠位端の近くで該下側ブレードに固定されて、前記患者の喉頭を介して該患者の気管へと挿管チューブを方向付けるように適合された傾斜部またはくさび形状を有している、披裂用バンパーをさらに備える、喉頭鏡。
【請求項２４】
請求項２０に記載の喉頭鏡であって、前記上側ブレードに固定された舌部ガードをさらに備え、該上側ブレードが、該舌部ガード、該上側ブレードおよび前記下側ブレードで規定される３面からなる通路を形成するように適合された、喉頭鏡。
【請求項２５】
前記喉頭鏡が、使い捨て用である、請求項１に記載の喉頭鏡。
【請求項２６】
前記喉頭鏡が、使い捨て用である、請求項１２に記載の喉頭鏡。
【請求項２７】
前記喉頭鏡が、使い捨て用である、請求項１８に記載の喉頭鏡。
【請求項２８】
患者の気管にチューブを挿管するための喉頭鏡であって、
上側ブレード；
下側ブレード；および
該チューブを該気管へと偏向させるように適合された偏向傾斜部を形成する、該下側ブレードの遠位端上の傾斜表面、
を備える、喉頭鏡。
【請求項２９】
前記喉頭鏡が、使い捨て用である、請求項２８に記載の喉頭鏡。
【請求項３０】
請求項２８に記載の喉頭鏡であって、前記下側ブレードおよび上側ブレードは、対向面を有し、該下側ブレードおよび該上側ブレードが、一方の面でヒンジにより取り付けられており、その対向面は開いている、喉頭鏡。
【請求項３１】
前記下側ブレードが、食道閉塞具として適合された遠位端を有し、該食道閉塞具に隣接して該下側ブレード上に披裂用バンパーをさらに備える、請求項２８に記載の喉頭鏡。
【請求項３２】
請求項３１に記載の喉頭鏡であって、前記披裂用バンパーおよび／または該披裂用バンパーが取り付けられている前記下側ブレードは、該披裂用バンパーに近接している該下側ブレードの部分よりも広い、喉頭鏡。
【請求項３３】
請求項２８に記載の喉頭鏡であって、前記下側ブレードの近位端にハンドル、前記上側ブレードの近位端にハンドグリップをさらに備え、ここで、
該ハンドグリップ部分は、該下側ブレードの近位端上で該ハンドルに対して近づくように、または遠のくように、移動可能であって、該下側ブレードの遠位端および該上側ブレードの遠位端を互いに対して開閉する、喉頭鏡。
【請求項３４】
前記下側ブレードおよび前記上側ブレードが、着脱可能である、請求項２８に記載の喉頭鏡。
【請求項３５】
前記下側ブレードおよび前記上側ブレードが、使い捨て用である、請求項２８に記載の喉頭鏡。
【請求項３６】
請求項２８に記載の喉頭鏡であって、前記上側ブレードに固定された舌部ガードをさらに備え、該上側ブレードが、該舌部ガード、該上側ブレードおよび前記下側ブレードで規定される３面からなる通路を形成するように適合された、喉頭鏡。
【請求項３７】
請求項２８に記載の喉頭鏡であって、挿管中に吸引するための導管を提供するために、前記下側ブレードまたは上側ブレードのいずれかに内蔵されるか、または固定された吸引チューブをさらに備える、喉頭鏡。
【請求項３８】
請求項２８に記載の喉頭鏡であって、該喉頭鏡の遠位端の照明手段をさらに備える、喉頭鏡。